(57)【要約】【課題】本発明の実施例は、光学結像分野に関し、レンズモジュールを提供する。【解決手段】当該レンズモジュールは、収容空間を有する鏡筒と、前記収容空間に収容されるレンズ群とを備え、前記レンズ群は、互いに隣接する第１レンズと第２レンズを備え、前記レンズモジュールは、前記第１レンズを前記第２レンズに固定する位置決め構造を更に備え、前記位置決め構造は、前記第１レンズと前記第２レンズとのうちの一方に設けられる位置決め部材、および、前記第１レンズと前記第２レンズとのうちの他方に設けられる固定保持部材を備え、前記固定保持部材は、前記位置決め部材を固定保持する。本発明の実施形態に係るレンズモジュールは、レンズと鏡筒との間の安定性および信頼性が強い。【選択図】図１
2020021059.tif 000002
【特許請求の範囲】
【請求項１】
収容空間を有する鏡筒と、互いに隣接する第１レンズおよび第２レンズを少なくとも含む、前記収容空間に収容されるレンズ群とを備えるレンズモジュールであって、
前記第１レンズは、結像のための第１光学部と、前記第１光学部の周囲を取り囲む第１固定部とを備え、前記第２レンズは、結像のための第２光学部と、前記第２光学部の周囲を取り囲む第２固定部とを備え、前記レンズモジュールは、前記第１レンズを前記第２レンズに固定する位置決め構造を更に備え、前記位置決め構造は、前記第１固定部と前記第２固定部とのうちの一方に設けられる位置決め部材と、前記第１固定部と前記第２固定部とのうちの他方に設けられる固定保持部材とを備え、前記固定保持部材は、前記位置決め部材を固定保持することを特徴とするレンズモジュール。
【請求項２】
前記第１固定部は、像側に近接する像側面を備え、前記第２固定部は、前記像側面に対向して設けられる物体側面を備え、前記位置決め部材は、前記像側面と前記物体側面とのうちの一方に設けられ、前記固定保持部材は、前記像側面と前記物体側面とのうちの他方に設けられていることを特徴とする請求項１に記載のレンズモジュール。
【請求項３】
前記位置決め部材は、突起であり、前記固定保持部材は、前記突起に固定係合する凹溝であることを特徴とする請求項１に記載のレンズモジュール。
【請求項４】
前記突起は、前記第１固定部に設けられ、前記突起は、前記第１固定部に接続される接続部と、前記接続部の前記第１固定部から離間する端に位置する係止保持部と、前記接続部と前記係止保持部とを接続する中間部とを備え、
前記レンズモジュールの光軸に垂直な方向に、前記係止保持部の幅は、前記中間部の幅より大きいことを特徴とする請求項３に記載のレンズモジュール。
【請求項５】
前記凹溝は、前記第２固定部の表面に近接する溝開口部と、前記溝開口部の前記第２固定部の表面から離間する端に位置する溝底部と、前記溝開口部と前記溝底部とを接続する溝中部とを備え、前記係止保持部は、前記溝底部に収容され、前記接続部は、前記溝開口部に収容され、前記中間部は、前記溝中部に収容され、
前記レンズモジュールの光軸に垂直な方向に、前記溝底部と前記係止保持部との幅は、何れも前記溝中部の幅より大きいことを特徴とする請求項４に記載のレンズモジュール。
【請求項６】
前記突起は、前記第２固定部に設けられ、前記突起は、前記第２固定部に接続される接続部と、前記接続部の前記第２固定部から離間する端に位置する係止保持部と、前記接続部と前記係止保持部とを接続する中間部とを備え、
前記レンズモジュールの光軸に垂直な方向に、前記係止保持部の幅は、前記中間部の幅より大きいことを特徴とする請求項３に記載のレンズモジュール。
【請求項７】
前記凹溝は、前記第１固定部の表面に近接する溝開口部と、前記溝開口部の前記第１固定部の表面から離間する端に位置する溝底部と、前記溝開口部と前記溝底部とを接続する溝中部とを備え、前記係止保持部は、前記溝底部に収容され、前記接続部は、前記溝開口部に収容され、前記中間部は、前記溝中部に収容され、
前記レンズモジュールの光軸に垂直な方向に、前記溝底部と前記係止保持部との幅は、何れも前記溝中部の幅より大きいことを特徴とする請求項６に記載のレンズモジュール。
【発明の詳細な説明】
【技術分野】
【０００１】
本発明の実施例は、光学結像分野に関し、特にレンズモジュールに関する。
【背景技術】
【０００２】
科学技術の継続的な発展に伴い、電子機器は、知能化へ発展しつつあり、デジタルカメラに加えて、タブレットＰＣ、携帯電話などの携帯型電子機器もレンズモジュールが配備されてユーザの随時撮影の要求を満たさせる。しかし、科学技術の発展につれて、レンズモジュールの結像品質に対する利用者の要求もますます高まる。従来技術のレンズモジュールは、一般的にレンズ群および鏡筒の２つの部分を備え、レンズ群が鏡筒内に設けられ、少なくとも２つのレンズによって構成され、レンズ同士が互いに固定されている。
【０００３】
本発明者らは、レンズとレンズの間の固定の安定性および信頼性が直接全レンズモジュールの結像品質に影響を与えることを見出した。しかし、従来技術のレンズモジュールでは、レンズと隣接レンズとが通常互いの押し付けによって固定されるが、このような固定方式により、レンズ同士に相対変位が発生しやすく、レンズとレンズの間の安定性および信頼性の低下を引き起こしてしまう。
【発明の概要】
【発明が解決しようとする課題】
【０００４】
本発明の実施形態の目的は、レンズ同士の安定性および信頼性が強くなるレンズモジュールを提供することにある。
【課題を解決するための手段】
【０００５】
上記技術問題を解決すべく、本発明の実施形態は、レンズモジュールを提供する。当該レンズモジュールは、収容空間を有する鏡筒と、互いに隣接する第１レンズおよび第２レンズを少なくとも含む、前記収容空間に収容されるレンズ群とを備え、前記第１レンズは、結像のための第１光学部と、前記第１光学部の周囲を取り囲む第１固定部とを備え、前記第２レンズは、結像のための第２光学部と、前記第２光学部の周囲を取り囲む第２固定部とを備え、前記レンズモジュールは、前記第１レンズを前記第２レンズに固定する位置決め構造を更に備え、前記位置決め構造は、前記第１固定部と前記第２固定部とのうちの一方に設けられる位置決め部材と、前記第１固定部と前記第２固定部とのうちの他方に設けられる固定保持部材とを備え、前記固定保持部材は、前記位置決め部材を固定保持する。
【０００６】
本発明の実施形態を従来技術に比べると、本発明の実施形態に係るレンズモジュールでは、レンズ群における第１レンズと第２レンズとの間に位置決め構造が設けられ、第１固定部と第２固定部とのそれぞれに固定保持部材および位置決め部材が設けられ、固定保持部材が位置決め部材を固定保持することで、第１レンズを第２レンズに固定し、固定保持部材の固定保持作用により、第１レンズと第２レンズとの間の安定性および信頼性がより強くなる。
【０００７】
また、前記第１固定部は、像側に近接する像側面を備え、前記第２固定部は、前記像側面に対向して設けられる物体側面を備え、前記位置決め部材は、前記像側面と前記物体側面とのうちの一方に設けられ、前記固定保持部材は、前記像側面と前記物体側面とのうちの他方に設けられている。
【０００８】
また、前記位置決め部材は、突起であり、前記固定保持部材は、前記突起に固定係合する凹溝である。位置決め部材および固定保持部材が突起および凹溝として設けられるため、構造が簡単であり、製造が便利になる。
【０００９】
また、前記突起は、前記第１固定部に設けられ、前記突起は、前記第１固定部に接続される接続部と、前記接続部の前記第１固定部から離間する端に位置する係止保持部と、前記接続部と前記係止保持部とを接続する中間部とを備え、前記レンズモジュールの光軸に垂直な方向に、前記係止保持部の幅は、前記中間部の幅より大きい。
【００１０】
また、前記凹溝は、前記第２固定部の表面に近接する溝開口部と、前記溝開口部の前記第２固定部の表面から離間する端に位置する溝底部と、前記溝開口部と前記溝底部とを接続する溝中部とを備え、前記係止保持部は、前記溝底部に収容され、前記接続部は、前記溝開口部に収容され、前記中間部は、前記溝中部に収容され、前記レンズモジュールの光軸に垂直な方向に、前記溝底部と前記係止保持部との幅は、何れも前記溝中部の幅より大きい。係止保持部が溝底部に収容され、中間部が溝中部に収容され、溝底部と係止保持部との幅が何れも前記溝中部の幅より大きいため、固定保持部材による位置決め部材への固定保持がより強固になるとともに、光軸方向に位置決め部材を係止保持可能であり、レンズと鏡筒との間の安定性および信頼性が更に向上する。
【００１１】
また、前記突起は、前記第２固定部に設けられ、前記突起は、前記第２固定部に接続される接続部と、前記接続部の前記第２固定部から離間する端に位置する係止保持部と、前記接続部と前記係止保持部とを接続する中間部とを備え、前記レンズモジュールの光軸に垂直な方向に、前記係止保持部の幅は、前記中間部の幅より大きい。
【００１２】
また、前記凹溝は、前記第１固定部の表面に近接する溝開口部と、前記溝開口部の前記第１固定部の表面から離間する端に位置する溝底部と、前記溝開口部と前記溝底部とを接続する溝中部とを備え、前記係止保持部は、前記溝底部に収容され、前記接続部は、前記溝開口部に収容され、前記中間部は、前記溝中部に収容され、前記レンズモジュールの光軸に垂直な方向に、前記溝底部と前記係止保持部との幅は、何れも前記溝中部の幅より大きい。
【図面の簡単な説明】
【００１３】
【図１】本発明の第１実施形態に係るレンズモジュールの断面構造模式図である。
【図２】図１におけるＡ部の局所拡大図である。
【発明を実施するための形態】
【００１４】
本発明の目的、解決手段およびメリットがより明瞭になるように、以下では、図面を参照しながら本発明の各実施形態を詳細に説明する。本発明の各実施形態において本発明をよりよく理解するために多くの技術的詳細を述べることは、当業者に理解され得る。しかし、これらの技術的詳細および以下の各実施形態に基づく様々な変更および修正がなくても、本発明の各請求項が保護請求する技術案も実現できる。
【００１５】
本発明の第１実施形態は、レンズモジュール１００に関し、図１、図２に示すように、当該レンズモジュール１００は、鏡筒１１およびレンズ群１２を備え、鏡筒１１は、収容空間１３を有し、レンズ群１２は、収容空間１３内に収容され、レンズ群１２は、互いに隣接する第１レンズ１２１と第２レンズ１２２を少なくとも含む。理解できるように、レンズ群１２は、他のレンズ（例えば、レンズ１２３）を更に備えてもよく、第１レンズ１２１は、結像のための第１光学部１２１１と、前記第１光学部１２１１の周囲を取り囲む第１固定部１２１２とを備え、第２レンズ１２２は、結像のための第２光学部１２２１と、前記第２光学部１２２１の周囲を取り囲む第２固定部１２２２とを備え、レンズモジュール１００は、位置決め構造１４を更に備え、位置決め構造１４は、位置決め部材１４１と、位置決め部材１４１を固定保持する固定保持部材１４２とを備え、位置決め部材１４１は、第１固定部１２１２と第２固定部１２２２とのうちの一方に設けられ、固定保持部材１４２は、第１固定部１２１２と第２固定部１２２２とのうちの他方に設けられている。
【００１６】
従来技術よりも、本発明の第１実施形態に係るレンズモジュール１００では、位置決め構造１４が設けられ、位置決め構造１４における固定保持部材１４２によって位置決め部材１４１を固定保持し、固定保持部材１４２と位置決め部材１４１とが単独に第１レンズ１２１と第２レンズ１２２にそれぞれ設けられるため、固定保持部材１４２が位置決め部材１４１を固定保持すると同時に、第１レンズ１２１も第２レンズ１２２に固定保持し、固定保持部材１４２の位置決め部材１４１に対する固定保持作用により、第１レンズ１２１と第２レンズ１２２との間の安定性および信頼性がより強くなる。
【００１７】
具体的に、本実施形態では、第１固定部１２１２は、像側に近接する像側面１２１ａを備え、第２固定部１２２２は、像側面１２１ａに対向して設けられる物体側面１２２ａを備え、位置決め部材１４１は、像側面１２１ａと物体側面１２２ａとのうちの一方に設けられ、固定保持部材１４２は、像側面１２１ａと物体側面１２２ａとのうちの他方に設けられている。
【００１８】
更に、本実施形態では、位置決め部材１４１は、突起であり、固定保持部材１４２は、突起に互いに係合する凹溝である。所謂互いに係合するとは、突起と凹溝との形状が同じであり、サイズも同じであり、突起が凹溝内に嵌め込んで安定的に係止可能であることを指す。これにより、固定保持部材１４２と位置決め部材１４１とが相対的に固定され、突起および凹溝のこれらの簡単の構造により、固定保持部材１４２が位置決め部材１４１を固定保持可能であり、構造が簡単であり、製造が便利になる。
【００１９】
更更に、本実施形態では、位置決め部材１４１（即ち、突起）は、第１固定部１２１２に設けられ、位置決め部材１４１は、第１固定部１２１２に接続される接続部 １４１ａと、接続部１４１ａの第１固定部１２１２から離間する端に位置する係止保持部１４１ｂと、係止保持部１４１ｂと接続部１４１ａとを接続する中間部１４１ｃとを備える。レンズモジュール１００の光軸ＯＯ’に垂直な方向における係止保持部１４１ｂの幅は、光軸ＯＯ’に垂直な方向における中間部１４１ｃの幅より大きい。
【００２０】
また、本実施形態では、位置決め部材１４１は、第１固定部１２１２に設けられ、固定保持部材１４２は、第２固定部１２２２に設けられ、固定保持部材１４２（即ち、凹溝）は、第２固定部１２２２の表面に近接する溝開口部１４２ａと、溝開口部１４２ａの第２固定部１２２２の表面から離間する端に位置する溝底部１４２ｂと、溝開口部１４２ａと溝底部１４２ｂとを接続する溝中部１４２ｃとを備え、係止保持部１４１ｂは、溝底部１４２ｂに収容され、接続部１４１ａは、溝開口部１４２ａに収容され、中間部１４１ｃは、溝中部１４２ｃに収容され、溝底部１４２ｂと係止保持部１４１ｂとは、両者とも光軸ＯＯ’に垂直な方向における幅が何れも溝中部１４２ｃの光軸ＯＯ’に垂直な方向における幅より大きい。係止保持部１４１ｂを溝底部１４２ｂに収容し、中間部１４１ｃを溝中部１４２ｃに収容し、且つ溝底部１４２ｂと係止保持部１４１ｂとの幅を何れも溝中部１４２ｃの幅より大きくすることで、固定保持部材１４２も、光軸ＯＯ’方向において位置決め部材１４１を固定保持可能であり、第１レンズ１２１と第２レンズ１２２との光軸ＯＯ’方向に沿う相対移動が防止され、第１レンズ１２１と第２レンズ１２２との間の安定性および信頼性が更に向上する。
【００２１】
理解できるように、本実施形態において、位置決め部材１４１が第１固定部１２１２に設けられ、且つ固定保持部材１４２が第２固定部１２２２に設けられることは、単に位置決め部材１４１と固定保持部材１４２との一種の設置位置に過ぎず、本発明の他の実施形態において、固定保持部材１４２が第１固定部１２１２に設けられ、かつ位置決め部材１４１が第２固定部１２２２に設けられることも可能であり、固定保持部材１４２と位置決め部材１４１の具体的な構造を変更しないままで、依然として同様な技術的効果を奏することができる。実際の生産過程において、位置決め部材１４１と固定保持部材１４２との具体的な配置位置は、実際の需要に応じて選択されてもよい。
【００２２】
説明すべきことは、実際の生産中に、誤差の存在により、絶対の平行と絶対の垂直とがあえて存在しないため、本明細書における平行と垂直等の限定的用語が本発明の技術的効果を奏し得る略平行と略垂直も含む。
【００２３】
上記各実施形態が本発明を実施する具体的な実施例であり、実際の応用において本発明の精神および範囲を逸脱せずに形態および詳細について様々な変更を行なうことが可能であることは、当業者に理解され得る。
【図１】
2020021059.tif 000003
【図２】
2020021059.tif 000004